(57)【要約】【課題】  手摺とかアンテナ等の向きを手軽に上下に変更できるようにする。トラックや壁等に立掛け易い立掛け梯子を提供する。【解決手段】  支持体回転具を基体と、基体から横向きに突設された受体と、受体の側方に取付けられたブロックと、他部材を装備可能な支持体で構成し、ブロックを横軸により受体の側方に突出して取付けてその横軸周りを旋回可能とし、支持体をブロックの上に縦軸により取付けて縦軸周りを水平回転可能とし且つブロックの上に配置された状態とブロック及び受体の双方の上に配置した状態まで水平回転可能とし、支持体が受体の上から外れてブロックの上に配置された状態でブロックを旋回させることにより支持体を同方向に旋回させることができるようにした。立掛け梯子は前記支持体回転具の基体を梯子の脚の上部に取付けた。【選択図】図１
2010048001.tif 000002
【特許請求の範囲】
【請求項１】
任意の物に取付け可能な基体と、基体から横向きに突設された受体と、受体の側方に取付けられたブロックと、他部材を装備可能な支持体を備え、ブロックは横軸により受体の側方に突出して取付けられてその横軸周りを旋回でき、支持体はブロックの上に縦軸により取付けられて縦軸周りを水平回転可能であり、ブロックの上に配置された状態とブロック及び受体の双方の上に配置した状態まで水平回転でき、支持体が受体の上から外れてブロックの上に配置された状態でブロックを旋回させることにより支持体を同方向に旋回させることができることを特徴とする支持体回転具。
【請求項２】
請求項１記載の支持体回転具において、支持体の上に装備される他部材が縦長の手摺であり、手摺が上方に突設して支持体に装備されたことを特徴とする支持体回転具。
【請求項３】
請求項１又は請求項２に記載の支持体回転具において、トラックの車体側方、煽り、建物の壁といった支持物に押し当て可能又は係止可能なフックが受体と手摺の双方又はいずれか一方に設けられ、それらフックは固定又は高さ調節可能であることを特徴とする支持体回転具。
【請求項４】
請求項１乃至請求項３のいずれかに記載の支持体回転具において、基体が他の物に被せることのできる鞘管又は他の物に差込み可能な軸といった連結構造を備えることを特徴とする支持体回転具。
【請求項５】
請求項１乃至請求項４のいずれかに記載の支持体回転具において、受体の突出方向先端側が斜め上向きであることを特徴とする支持体回転具。
【請求項６】
トラックの車体側方、煽り、建物の壁といった支持物に立掛け可能な梯子と、梯子の上部に連結された手摺を備える立掛け梯子において、梯子の上部に請求項１乃至請求項５のいずれかに記載の支持体回転具の基体が取付けられたことを特徴とする立掛け梯子。
【請求項７】
請求項６記載の立掛け梯子において、支持物がトラックの車体側方、煽り、建物の壁であり、受体及び手摺はフックを備え、受体に設けられたフックはトラックの車体側方又は倒した煽りに押し当て又は係止可能であり、手摺に設けられたフックは起立した煽りの上縁部分に係止可能であることを特徴とする立掛け梯子。
【発明の詳細な説明】
【技術分野】
【０００１】
本願発明は梯子、脚立、支柱といった任意の物体に取付け可能な支持体回転具と、トラックの車体側方や壁等に立掛け可能な立掛け梯子に関するものである。
【背景技術】
【０００２】
一般にトラックの荷台の高さは１ｍ程度であり、荷台に昇るときはともかく、降りるときは飛び降りることが多く、足・腰・膝などを傷める危険性があった。この点を改善するため、トラックの荷台の昇降に用いるトラック用立掛け梯子として種々のものが考えられている。その一例として、トラックの荷台に立掛けて可能な梯子に長方形の枠状の手摺を取付けたもの（特許文献１）や、伸縮式の梯子にトラックの荷台の側面下方に倒した煽りを上下から挟むことのできる挟持片を備えたもの（特許文献２）等が存在する。
【０００３】
【特許文献１】特開２００５−４８３８１号公報
【特許文献２】特開２００８−２１０８号公報
【発明の開示】
【発明が解決しようとする課題】
【０００４】
（１）特許文献１における手摺は梯子本体の側方に取付けられているため、使用者が梯子の上の方まで昇ると手摺が使用者よりも下になって掴みにくくなる。
（２）特許文献２には梯子より上方に伸びる手摺が開示されているが、手摺はトラックに斜めに立掛けた梯子本体の延長線上に伸びているため手摺の上部が前傾する。従って使用者が手摺を掴むためには身体が前のめりになり梯子を上りにくくなる。
（３）係止具（特許文献１）や摘み機構（特許文献２）が設けられているため、梯子に上下方向の力が加わっても梯子は傾斜したり倒れたりし難いが、前後方向または左右方向の力が加わると傾斜したり倒れたりし易い。
【０００５】
本願発明の課題は、手摺とか他の物を取付け可能な支持体を備え、支持体に取付けられた手摺とか他の物を、梯子、ポール等に取付け可能な支持体回転具と、少なくとも従来のトラック用立掛け梯子の前記課題を解決し、トラックのみならず建物の壁などにも立掛けることのできる立掛け梯子とを提供することにある。
【課題を解決するための手段】
【０００６】
本願発明の支持体回転具は、請求項１記載のように、任意の物に取付け可能な基体と、基体から横向きに突設された受体と、受体の側方に取付けられたブロックと、他部材を装備可能な支持体を備え、ブロックは横軸により受体の側方に突出して取付けられてその横軸周りを旋回でき、支持体はブロックの上に縦軸により取付けられて縦軸周りを水平回転可能であり、ブロックの上に配置された状態とブロック及び受体の双方の上に配置した状態まで水平回転でき、支持体が受体の上から外れてブロックの上に配置された状態でブロックを旋回させることにより支持体を同方向に旋回させることができるようにしてある。
【０００７】
本願発明の支持体回転具は次のような構成とすることもできる。請求項２記載のように支持体の上に装備される他部材を縦長の手摺とし、手摺を上方に突設して支持体に装備したもの。請求項３記載のように受体と手摺の双方又はいずれか一方に、トラックの車体側方、煽り、建物の壁といった支持物に押し当て可能又は係止可能なフックを設け、それらフックを固定又は高さ調節可能としたもの。請求項４記載のように基体を他の物に被せることのできる鞘管又は他の物に差込み可能な軸といった連結構造を備えるもの。請求項５記載のように受体の突出方向先端側を斜め上向きにしたもの。
【０００８】
本願発明の立掛け梯子は、請求項６記載のようにトラックの車体側方、煽り、建物の壁といった支持物に立掛け可能な梯子と、梯子の上部に連結された手摺を備える立掛け梯子であり、梯子の上部に前記いずれかの支持体回転具の基体が取付けられたものである。この立掛け梯子は、請求項７記載のように前記立掛け梯子において、支持物がトラックの車体側方、煽り、建物の壁であり、受体及び手摺はフックを備え、受体に設けられたフックはトラックの車体側方又は倒した煽りに押し当て又は係止可能とし、手摺に設けられたフックを起立した煽りの上縁部分に係止可能としたものである。
【発明の効果】
【０００９】
本願発明の支持体回転具は次のような効果がある。
（１）支持体がブロックと共に旋回可能であり、受体及びブロックの上で水平回転も可能であるため、ブロックの旋回と支持体の水平回転により、支持体に取付けた手摺や他の部材を手軽に方向転換したり、折り畳んだりすることができる。このため、支持体に手摺のような長尺物が取付けられていても、下向きに畳むこともできるため、持ち運び時や収納時にも邪魔にならない。
（２）基体は他の物に被せることのできる鞘管又は他の物に差込むことのできる軸といった連結構造を備えているので、梯子や支柱の上端部への取付けが容易になり、他の部材への付け替えなども容易にできる。
（３）基体から先方に突設される受体の先端側が斜め上向きであるため、梯子をトラックの煽りや建物の壁面に斜めに立掛けても、支持体から上方に突設した手摺を垂直に上向きにすることができる。
（４）トラックの煽りや建物の壁面に押し当て可能或いは係止可能なフックを備えているので、トラックの煽りや建物の壁面に立掛ける梯子に取付けた場合、そのフックを、トラックの煽りや建物の壁面に押し当て或いは係止できるので、梯子が安定する。
【００１０】
本願発明の立掛け梯子は次のような効果がある。
（１）トラックの車体側方、壁面等に立掛け可能な梯子の上部に、前記支持体回転具の基体を取付けてあるので、支持体回転具の支持体にその上方に突出する手摺を取付ければ、その手摺を掴んでトラックへ昇降することができ、昇降が容易になる。
（２）受体にフックが設けられているので、フックをトラックの煽りや建物の壁面に係止することで、それらに立掛ける梯子が安定する。
（３）基体から横向きに突設される受体の先端側が斜め上向きであるため、梯子をトラックの煽りや建物の壁面に斜めに立掛けても、支持体から上方に突設した手摺が垂直又はほぼ垂直に上向きになり、手摺を掴む時に上半身が前屈みにならず、手摺を掴んでも身体が安定する。
（４）フックを高さ調節可能に設けた場合は、フックの位置をトラックの煽りの高さに合せて調節できるので、一つの支持体回転具があれば荷台の高さ、煽りの高さ等が異なる各種サイズ（トン数）のトラックにも使用可能であり、サイズの異なる支持体回転具を数種類用意したり、持ち運んだりする必要がなく、管理も使用も容易である。
（５）フックを受体と手摺の双方に設ければ、受体のフック（下フック）をトラックの車体側方に押し当て、手摺のフック（上フック）をトラックの車体側方の上に立てた煽りの上縁に係止できるので梯子が安定する。また、梯子や手摺を掴む作業者の荷重が二つのフックで分散支持されるので、煽りや壁面に掛かる負荷が分散し、それらが損傷し難くなる。
【発明を実施するための最良の形態】
【００１１】
（支持体回転具及び立掛け梯子の実施形態）
本願発明の支持体回転具の実施形態の一例を図面に基づいて説明する。本願発明の支持体回転具は梯子、支柱といった各種物品に取付け可能であるが、図６、図７に示した実施形態の支持体回転具１は図１、図３のように梯子２の脚３に取付けできるようにしたものである。この支持体回転具１は図３のように梯子２の脚３の上端部に取付け可能な基体４と、基体４の先方に横向きに突出する受体５（図６、図７）と、受体５から側方に突出するブロック６と、受体５とブロック６の上面の上に跨がせて配置できる板状の支持体７を備えており、図１のように梯子２の上端に取付けて、支持体７の上の手摺８を図１の起立状態から図３の下向状態まで回転させて畳むことができるようにしてある。
【００１２】
梯子２の一例として図１、図２に示すものは、二本の脚３間に踏み板９が上下に等間隔で複数段取付けられている。夫々の踏み板９は図示した横向き状態に取付けられている。取付けは溶接、ボルト及びナット、その他の手段で行なう事ができ、脚３に固定する取付けも、縦向きに回転する取付けも可能である。脚３は中空の細長角材である。脚３の下端にはゴム製、樹脂製といった滑り止め具１０（図３）が取付けられている。脚３には下向きに折り畳んだ手摺８を保持するための手摺保持具１１が取付けられている。手摺収納具１２は略Ｌ字状に折り曲げた支持片１２の先端に略Ｕ字状に湾曲した保持具１３が取付けられている。保持具１３は手摺８を押し込むための開口部１４を備えている。梯子２の脚３の上端部内側には図５のように角板状のストッパー１５の外周縁が溶接固定されている。ストッパー１５の中央部には穴１６が開口されている。その穴１６の下方から上方に丸棒状のガイド軸１７が貫通されている。
【００１３】
支持体回転具１の基体４（図６、図７）には鞘管（角パイプ）が使用されている。この角パイプには図２に示すように梯子２の脚３の上端部に被せることができるサイズの角パイプが使用され、角パイプの上面が天井板１８で閉塞されて、角パイプを梯子２の脚３の上端部に被せたときに、その上端部が角パイプを貫通して上方に突出しないようにしてある。また、図５のように前記天井板１８の中央部に前記ガイド軸１７の上端部を溶接固定して、基体４がガイド軸１７と共に脚３に沿って昇降できるようにし、基体４が上昇してガイド軸１７の下端の鍔１９（図５）がストッパー１５（図５）に当たると、ガイド軸１７及び基体４がそれ以上は上昇せずに停止し、これとは逆に、基体４がガイド軸１７と共に降下して天井板１８の内面が脚３の上端縁２０（図５）に当たると、ガイド軸１７及び基体４がそれ以上は降下しないようにしてある。
【００１４】
前記受体５（図６、図７）も角材であり、基体４の上端部前面に固定されて突出しており、先端側を斜め上向きにしてある。受体５と基体４は共に金属製であるため互いに溶接により固定されている。
【００１５】
前記受体５（図６、図７）の先端にはフック（下フック２１）が受体５より下方まで突出して下向きに設けられている。この下フック２１は図１のように梯子２をトラック２２に立掛けたときにトラック２２の車体側面２３に押し当てられるようにしてある。下フック２１も金属製であり、受体５に溶接により取付けられている。この取付けはボルト及びナット等の連結具での取付けとすることもできる。下フック２１は長方形の薄板であるが他の形状、構造であってもよく、例えば、正方形や多角形の板とか立体形状のものであってもよい。下フック２１の外面にはゴム製の滑り止め材２４（図３）が接着剤で貼付けられている。滑り止め材２４を使用せずに外面に凹凸をつけるなどして滑り止め加工を施すこともできる。下フック２１は図２のようにトラック２２の倒した煽り２５に押当てるとか、煽り２５とトラック２２の車体側面２３の間にできる隙間２６（図２）に煽り２５の上から差込むなどすることができる。
【００１６】
前記受体５（図６、図７）の側面にはブロック６が取付けられている。ブロック６は金属製の中実の立方体であり、その一側面から反対側面に向けて横向きネジ孔２７（図７）が形成され、上面から下面に向けて縦向きネジ孔２８（図７）が形成されており、両ネジ孔は互いに軸をずらして開口されて交差しないようにしてある。ブロック６は横向きネジ孔２７に横軸２９（図６、図７）がねじ込まれ、その横軸２９が受体５の横ネジ孔３０（図７）までネジ込まれて、横軸２９を回転軸として図６（ｃ）の矢印Ｘ−Ｙ方向に３６０度縦回転できるようにしてある。この横軸２９の先端部がブロック６の横向きネジ孔２７の外まで突出する場合は、その突出部にナット３１を螺合して横軸２９の抜けを防止することができる。
【００１７】
前記ブロック６（図６、図７）の上には平面形状略Ｌ字型の薄板状の支持体７の重合部３２（図７）が配置されている。この支持体７は図７のように重合部３２に開口されている縦孔３３に縦軸３４が差し込まれ、この縦軸３４の先端側がブロック６の縦向きネジ孔２８にねじ込まれることによりブロック６に取付けられており、縦軸３４を回転軸として図６（ｂ）の矢印Ｏ−Ｐ方向に水平回転できるようにしてある。この縦軸３４の先端部がブロック６の縦向きネジ孔２８の外まで突出する場合は、その突出部にナット３５（図６（ｃ））を螺合して縦軸３４の抜けを防止することができる。
【００１８】
図６（ｂ）のように受体５の上から外れている支持体７は、同図（ｂ）の矢印Ｏ方向に水平回転させて図６（ａ）のようにブロック６と受体５の双方の上に配置できるようにしてある。支持体７には位置決め孔３６（図６、図７）が開口され、受体５には止め孔３７が開口されており、図６（ａ）のようにブロック６と受体５の双方の上に配置した支持体７の位置決め孔３６から受体５の止め孔３７に係止ピン３８（図６、図７）を差し込むと支持体７がブロック６と受体５の双方の上に位置決めされ、係止ピン３８を抜くと図６（ｂ）のように矢印Ｏ−Ｐ方向に水平回転できるようにしてある。
【００１９】
係止ピン３８は図７のように、細長棒状の軸部３９と、軸部３９の先端の頭部４０とを備えるものである。係止ピン３８にはボルトを使用することができ、それを位置決め孔３６から止め孔３７にネジ込み、止め孔３７から下方に突出するボルト突出部にナット（図示しない）を螺合して固定することもできる。係止ピン３８は不使用時に紛失しないように、梯子２、支持体７などに鎖、線材、紐等で固定しておくことができる。
【００２０】
支持体７（図６、図７）の上には手摺８が立設されている。手摺８は支持体７の上面に垂直に立設してその下端を支持体７に溶接固定してある。手摺８は使用者が掴みやすいよう細長丸棒状としてあるが、細長角棒とか細長平板などの任意形状とすることができる。手摺８の長さも任意に選択することができるが、起立させた煽り２５（図１）の上方に突出する長さにする。手摺８には上フック４１（図１）が取付けられている。上フック４１は長方形の板状であり、手摺８にスライド可能に被せた円筒４２から突設した板状の間隔保持材４３（図１）の先端に取付けて、トラック２２の起立させた煽り２５の上からその上縁に係止できるようにしてある。円筒４２は止めネジ４４（図１）を締め付けることにより手摺８に固定することができ、緩めることにより手摺８に沿ってスライドすることができ、このスライドにより上フック４１を位置（高さ）調節し、止めネジ４４（図１）の締め付けにより所望位置（高さ）に固定することができる。
【００２１】
本願発明の立掛け梯子は、前記実施形態の支持体回転具１の基体４を梯子２の脚３の上端部に被せることにより脚３に取付けてある。基体４は脚３に被さる部分を長めにして、梯子２が不用意に脱落しないようにしてある。
【００２２】
（支持体回転具の使用例１）
図６（ｃ）のように下向きになっている手摺８を上向きにするには次のようにする。
（１）支持体７を図６（ｃ）の矢印Ｙ方向に縦回転させて、図６（ｂ）のように支持体７を上向きにする。
（２）前記（１）の状態で支持体７を図６（ｂ）の矢印Ｏ方向に旋回させて支持体７をブロック６及び受体５の上に配置する。
（３）前記（２）の状態で図６（ａ）のように係止ピン３８を支持体７の位置決め孔３６（図６、図７）から受体５の止め孔３７に差し込んで支持体７をブロック６及び受体５の上に固定する。
【００２３】
（支持体回転具の使用例２）
図６（ａ）のように上向きになっている手摺８を下向きにするには次のようにする。
（１）図６（ａ）の係止ピン３８を抜き取ってから、支持体７の重合部３２が受体５から外れる位置まで支持体７を図６（ｂ）の矢印Ｐ方向に水平回転させる。
（２）前記状態で支持体７を図６（ｃ）の矢印Ｘ方向に旋回させて支持体７を下向きにし、支持体７に取付けてある手摺８を下向きにする。
【００２４】
（本願発明の立掛け梯子の使用例１）
本願発明の立掛け梯子の使用例を図１に基づいて説明する。この使用例は起立させた煽り２５に立掛けて使用する場合の例である。
（１）図３のように梯子２の上端部に取付けられている支持体回転具１は、不使用時や収容時には支持体７を図６（ｃ）の矢印Ｘ方向に縦回転させて手摺８を下向きにし、手摺８を梯子２の脚３に設けられた手摺保持具１１に押し込んで保持しておく。
（２）梯子２をトラック２２に立掛ける前にブロック６を図６（ｃ）の矢印Ｙ方向に旋回させて図６（ｂ）のように手摺８を上向きにし、支持体７を図６（ｂ）の矢印Ｏ方向に水平回転させてブロック６及び受体５の上に配置し、図６（ａ）のように係止ピン３８を支持体７の位置決め孔３６（図６、図７）から受体５の止め孔３７に差し込んで支持体７をブロック６及び受体５の上に固定する。
（３）前記（２）の状態で、梯子２を図１のようにトラック２２の車体側面２３に立掛ける。この場合、梯子２の脚３の下端を地面に立て、下フック２１をトラック２２の車体側面２３に押し当てる。
（４）前記（３）により手摺８が煽り２５の上方まで突出する。このとき図１の止めネジ４４の締め付けを緩めて、上フック４１と一体となった円筒４２をトラック２２の煽り２５の高さに合わせてスライドさせて煽り２５の上縁に被せて係止し、その位置で止めネジ４４を締め付けて円筒４２を固定して上フック４１をも固定する。これにより、梯子２がトラック２２に斜めに立掛けられて保持される。このとき、図６（ｂ）のように基体４に斜め上向きに取り付けられている受体５がほぼ水平になるため、ブロック６と受体５の上に載せて止めてある支持体７がほぼ水平になり、手摺８がほぼ垂直になる。
（５）図１の状態で、地上の作業者が梯子２を昇り、手摺８に掴まってトラック２２の荷台４５に上がることができる。また荷台４５の上の作業者は手摺８に掴まって梯子２を下りることができる。このとき、手摺８が煽り２５の上方まで垂直に伸びているため作業者は上半身を屈めることなく真っ直ぐにしたまま手摺８に掴まって梯子を昇降することができる。
【００２５】
（本願発明の立掛け梯子の使用例２）
本願発明の立掛け梯子の第２の使用例について説明する。この使用例は図２に示すように、トラック２２の車体と下方に倒した煽り２５の間にできる隙間２６に梯子２の上端部に取付けた支持体回転具１の下フック２１を係止して使用する場合の例である。
【００２６】
（１）トラック２２の車体側方２３に梯子２を立掛けて前記隙間２６に支持体回転具１の下フック２１を差し込んで係止する。このとき、図４（ｂ）に示すように梯子２の脚３の上部に被せてある基体４が矢印Ｒ方向にスライドして図４（ａ）に示すように下フック２１の位置が下がり、前記隙間２６（図２）内に差し込まれる。
（２）前記（１）の状態で手摺８が上方にほぼ垂直になってトラック２２の荷台４５の上方まで突出する。この場合、手摺８に取付けた上フック４１は使用しないので昇降の邪魔にならない位置に移動させて固定しておく。この場合も、止めネジ４４（図１）を緩めて所望位置までスライドさせ、止めネジ４４の締め付けでその位置に固定する。
【００２７】
（本願発明の他の実施形態）
本願発明の支持体回転具１の基体４、受体５、ブロック６、支持体７、立掛け梯子の形状、構造、取付け構造、連結構造等は前記した実施形態以外とすることができる。
【図面の簡単な説明】
【００２８】
【図１】本願発明の立掛け梯子を、起立させた煽りに係止して立掛けた場合の使用例を示す説明図。
【図２】本願発明の立掛け梯子を、倒した煽りに係止して立掛けた場合の使用例を示す説明図。
【図３】本願発明の立掛け梯子の一例を示す斜視説明図。
【図４】本願発明の支持体回転具の基体を梯子の脚の上端部に被せた状態の説明図であり、（ａ）は梯子の脚が基体の上方にスライドした状態の説明図、（ｂ）は梯子の脚が基体の下方にスライドした状態の説明図。
【図５】本願発明の支持体回転具の基体を梯子の脚の上端部に被せた状態の断面説明図。
【図６】本願発明の支持体回転具の一例の説明図であり、（ａ）は手摺を上向きにした状態の説明図、（ｂ）は支持体を水平回転させて受体の上から外した状態の説明図、（ｃ）は手摺を下向きにした状態の説明図。
【図７】本願発明の支持体回転具の分解説明図。
【符号の説明】
【００２９】
１  支持体回転具
２  梯子
３  脚
４  基体
５  受体
６  ブロック
７  支持体
８  手摺
９  踏み板
１０  滑り止め具
１１  手摺保持具
１２  支持片
１３  保持具
１４  開口部
１５  ストッパー
１６  穴
１７  ガイド軸
１８  天井板
１９  鍔
２０  上端縁
２１  下フック
２２  トラック
２３  車体側面
２４  滑り止め材
２５  煽り
２６  隙間
２７  横向きネジ孔
２８  縦向きネジ孔
２９  横軸
３０  横ネジ孔
３１  ナット
３２  重合部
３３  縦孔
３４  縦軸
３５  ナット
３６  位置決め孔
３７  止め孔
３８  係止ピン
３９  軸部
４０  頭部
４１  上フック
４２  円筒
４３  間隔保持材
４４  止めネジ
４５  荷台
【図１】
2010048001.tif 000003
【図２】
2010048001.tif 000004
【図３】
2010048001.tif 000005
【図４】
2010048001.tif 000006
【図５】
2010048001.tif 000007
【図６】
2010048001.tif 000008
【図７】
2010048001.tif 000009